(57)【要約】【課題】部品点数を増やすことなく、電子レンジで加熱する際、発生する蒸気を適切に排出でき、調理が完了した後は、内部の圧力が低下して容器が潰れないようにすることができる弁を具えた電子レンジ調理用容器の蓋体を提供すること。【解決手段】電子レンジ調理用容器１０ａの蓋体１ａに水平方向に対して傾斜した面３１ａが設けられ、この傾斜した面３１ａに、回動基部３４ａが上側又は下側に位置し、水平方向に対して垂直に入れられた切り込みにより形成された舌状部３２ａ，３３ａからなる傾斜弁３ａ−１，３ａ−２を具えた電子レンジ調理用容器の蓋体である。回動基部３４ａが上側に位置するように舌状部を設ければ、上方向に開く蒸気排出用の傾斜弁となり、回動基部３４ａが下側に位置するように舌状部を設ければ、下方向に開く空気導入用の傾斜弁となる。【選択図】図１
2010195453.tif 000002
【特許請求の範囲】
【請求項１】
電子レンジ調理用容器の蓋体に水平方向に対して傾斜した面が設けられ、
前記傾斜した面に、回動基部が上側又は下側に位置し、水平方向に対して垂直に入れられた切り込みにより形成された舌状部からなる傾斜弁を有することを特徴とする、
電子レンジ調理用容器の蓋体。
【請求項２】
前記傾斜した面が、前記蓋体の容器本体との嵌合当て付け面の一部を傾斜させて設けられた、請求項１の電子レンジ調理用容器の蓋体。
【請求項３】
前記傾斜した面が、前記蓋体の容器本体との嵌合当て付け面の一部から突出した凸部を経て設けられた、請求項１の電子レンジ調理用容器の蓋体。
【請求項４】
前記傾斜した面が、前記蓋体の中央水平部の一部を傾斜させて設けられた、請求項１の電子レンジ調理用容器の蓋体。
【請求項５】
前記傾斜した面が、前記蓋体の中央水平部の一部を凹ませた凹部を経て設けられた、請求項１の電子レンジ調理用容器の蓋体。
【発明の詳細な説明】
【技術分野】
【０００１】
本発明は、一方向に開く傾斜弁を具えた電子レンジ調理用容器の蓋体に関する。
【背景技術】
【０００２】
電子レンジで使用することのできる耐熱性プラスチック容器は、多く流通し、使用されている。
この種の容器でまず必要なことは、電子レンジで加熱する際、大量に発生する蒸気を適切に排出できるということであり、次に、調理が完了した後、内部の圧力が低下して容器が潰れたりすることがないようにするということである。蒸気排出のために、蓋体に舌状部を設けたものとして、特許文献１の容器がある。
【先行技術文献】
【特許文献】
【０００３】
【特許文献１】特開２００７−１９１１６１号公報
【発明の概要】
【発明が解決しようとする課題】
【０００４】
しかし、特許文献１の容器では、舌状部は、蓋体の水平に位置する面に対して垂直に切り込みが入れられることによって設けられているため、図６に示すように、舌状部が開く際には基部の中点を中心として円弧状に回動しようとする結果、必ず、その先端が先端を取り囲んでいる部分に引掛かってしまう。そのため、容器内の圧力が急激に高まるような汁気が多い食材等の調理では、少しの引掛かりにより蒸気がうまく排出されず、蓋全体が外れ、中身が飛び散って危険がある。一方、減圧時には、舌状部を容器内部へと引込もうとする力が発生するが、当初の位置に戻ろうとする時、及び容器内部へ引込まれる時それぞれの場合において、舌状部が引掛るため、完全に容器内部に引込まれず、容器内の圧力回復がスムーズに行なわれる保障はない。
【０００５】
従って、本発明は、従来技術の前記のような課題を解決することを目的とする。
【課題を解決するための手段】
【０００６】
本発明は、電子レンジ調理用容器の蓋体に水平方向に対して傾斜した面が設けられ、
前記傾斜した面に、回動基部が上側又は下側に位置し、水平方向に対して垂直に入れられた切り込みにより形成された舌状部からなる傾斜弁を有することを特徴とする電子レンジ調理用容器の蓋体により、前記課題を解決した。
【発明の効果】
【０００７】
本発明によれば、傾斜弁の回動基部が上側に位置するように舌状部を設ければ、上方向に開く傾斜弁となり、電子レンジ調理中には、一定圧力を超えると舌状部がスムーズに開いて蒸気を排出することができ、また、傾斜弁の回動基部が下側に位置するように舌状部を設ければ、下方向に開く傾斜弁となるので、調理後の減圧時には、舌状部が容器内側にスムーズに開くため、容器外の空気を取込むことができ、容器の潰れを防ぐことができる。
また、本発明の傾斜弁の形成は、蓋体に、垂直な切り込みを入れる工程だけで済むので、部品点数は増加せず、生産コストも抑えられる。
【図面の簡単な説明】
【０００８】
【図１】（Ａ）は本発明の第１実施形態の容器の上面図、（Ｂ）は本発明の第１実施形態の容器の縦断面図、（Ｃ）は（Ａ）のＣ矢視縦断面図。
【図２】（Ａ）は本発明の第１実施形態の舌状部の縦断面図、（Ｂ）は本発明の第１実施形態の舌状部の拡大縦断面図、（Ｃ）は（Ａ）のＣ部の拡大縦断面図。
【図３】（Ａ）は本発明の第２実施形態の容器の上面図、（Ｂ）は本発明の第２実施形態の蓋体の縦断面図、（Ｃ）は（Ａ）のＣ矢視縦断面図。
【図４】（Ａ）は本発明の第３実施形態の容器の上面図、（Ｂ）は本発明の第３実施形態の蓋体の縦断面図。
【図５】本発明の第４実施形態の蓋体の縦断面図。
【図６】従来の舌状部の引掛かり量を示す拡大縦断面図。
【発明を実施するための形態】
【実施形態１】
【０００９】
以下、本発明の第１実施形態について、図１、図２及び図６を参照して説明する。
【００１０】
図１に示すように、本実施形態の電子レンジ調理用容器１０ａは、食材の収納部分１１ａを有する容器本体１ａと、蓋体２ａからなり、容器本体１ａと蓋体２ａはそれぞれの嵌合当て付け面１２ａ，２２ａ及び抜け止め用凸部１３ａ，２３ａにより、嵌合している。
【００１１】
蓋体２ａの嵌合当て付け面２２ａの一部に、図１（Ｃ）のような山形の傾斜面３１ａが形成され、片斜面には傾斜面下側を回動基部にした排気用舌状部３２ａからなる傾斜弁３ａ−１を、もう片斜面には、傾斜面上側を回動基部にした吸気用舌状部３３ａからなる傾斜弁３ａ−２を具えて傾斜弁部３ａが構成されている。
この種の容器は、必ず、水平面に置いて使用されるものであるから、舌状部の切り込みは、傾斜面３１ａに対して直角にではなく、水平方向に対して垂直に、設けられている。
【００１２】
そのため、例えば、図２のように、傾斜面３１ａの角度が１０°、板厚が０．５ｍｍの蓋体２ａに、長さ８ｍｍの傾斜面下方に回動基部軸３４ａを有する排気用舌状部３２ａを設けた場合、容器外側へ開く時の引掛かり量は０ｍｍとなる。（ここで述べる「引掛かり量」とは、舌状部が回動基部の中心を支点として回動した場合に、引掛かりが最も大きい部分の長さを言う。）
図６の従来技術のような水平に位置する面に設けられた舌状部は、容器外側・内側どちらに開く場合にも、僅かの引掛かり量が生じるが、本実施形態の舌状部の引掛かり量はゼロであるから、何らの抵抗なく、スムーズに開き、蒸気を逃がすことができる。また、開いた状態から閉じる際も、引掛かりが生じずに、当初の位置にスムーズに戻ることができる。
逆に、容器内側に向かって開こうとする際には、引掛かり量は０．５ｔａｎ１０°となり、約０．１ｍｍとなるため、引掛かり量が大きく、そのため、内側に開くことはない。
従って、山形の傾斜面において、下方に回動基部３４ａが設けられている排気用舌状部３２ａは、容器内側にではなく、容器外側に向かってのみ開く。
【００１３】
逆に、傾斜面上側に回動基部３４ａを有する吸気用舌状部３３ａは、容器内側にのみ開き、外気導入後には、引掛からずに当初の位置にスムーズに戻る。従って、蒸気発生時において舌状部が開くことはないため、圧力をかけた調理が可能となる。
【００１４】
従って、垂直の切込みを有する舌状部を傾斜面に設けて、一つの舌状部に蒸気排出と外気導入の両方の作用をさせないようにしておけば、スムーズに、排気及び吸気を行なうことができ、引掛かりに伴う圧力調整の不具合を克服することができる。
【実施形態２】
【００１５】
次に、本発明の第２実施形態を、第１実施形態と異なる部分について図３を参照して説明する。
【００１６】
本実施形態では、当て付け面に傾斜面を直接設けるのではなく、図３のように、蓋体２ｂの当て付け面２２ｂの一部に凸部３５ｂを設け、この凸部３５ｂを経て、その上に傾斜面３１ｂを設けている。
傾斜面３１ｂは、第１実施形態と同様の、垂直の切込みを有する排気用舌状部３２ｂからなる傾斜弁３ｂ−１と、吸気用舌状部３３ｂからなる傾斜弁３ｂ−２を具えて傾斜弁部３ｂが構成されている。符号３４ｂは、回動基部である。
【００１７】
このように、凸部３５ｂの上に傾斜面３１ｂを設けることにより、舌状部３２ｂ，３３ｂの位置が嵌合当て付け面２２ｂよりさらに高くなるため、煮汁が多い調理等の場合の吹零れを少なくすることができる。
【実施形態３】
【００１８】
次に、本発明の第３実施形態を、第１実施形態と異なる部分について、図４を参照して説明する。
【００１９】
前述の実施形態では、図４（Ａ）のように、嵌合当て付け面の一部に舌状部からなる傾斜弁を設けていたが、本実施形態では、蓋体２ｃの中央水平部２５ｃに設けられている。
蓋体の中央水平部２５ｃに、容器内側へ向かう傾斜面３１ｃが形成され、片斜面には、斜面下側に回動基部３４ｃを有する排気用舌状部３２ｃからなる傾斜弁３ｃ−１を、もう片斜面には、斜面上側に回動基部３４ｃを有する吸気用舌状部３３ｃからなる傾斜弁３ｃ−２を具えて傾斜弁部３ｃが構成されている（図４（Ｂ）を参照。）。
この場合の舌状部の切り込みも、水平方向に対して垂直に設けられている。
舌状部の作用については、第１実施形態と同様であるため、省略する。
【００２０】
このように、蓋体の中央水平部に舌状部からなる傾斜弁を設けることにより、より低い位置に設ける場合に比べて、舌状部の切り込み部分からの吹零れを抑えることができ、また、調理前及び調理後に液汁が漏れ出すのを防ぐことができる。
【実施形態４】
【００２１】
最後に、本発明の第４実施形態を、第３実施形態と異なる部分のみ、図５を参照して説明する。
【００２２】
第３実施形態では、蓋体の中央水平部２５ｃに直接、傾斜面３１ｃを設けたが、本実施形態では、図５のように、蓋体２ｄの中央水平部２５ｄに容器内側へ凹んだ凹部３５ｄを設け、この凹部３５ｄを経て、さらに容器内側へと傾斜する傾斜面３１ｄを設けている。傾斜面３１ｄは、第３実施形態と同様の排気用舌状部３２ｄ及び吸気用舌状部３３ｄを具えている。
これにより、傾斜面上に設けられた舌状部に、ユーザーが直接触れることによる火傷の危険を避けることができる。
【００２３】
なお、以上に、山形又はＶ字型の傾斜面に、排気用及び吸気用両方の舌状部からなる傾斜弁を設けた場合について説明したが、当然のことながら、排気用舌状部だけでもよく（例えば、蒸気発生量の少ない食材等を調理するとき等）、排気用舌状部を複数個、又は排気・吸気用舌状部を複数セット設けてもよい。
また、舌状部の形状は、図示したものに限られない。
【符号の説明】
【００２４】
１０ａ：電子レンジ調理用容器
１ａ  ：容器本体
２ａ  ：蓋体
２２ａ：当て付け面
２３ａ：抜け止め用凸部
２５ｃ：中央水平部
３ａ  ：傾斜弁部
３ａ−１：傾斜弁
３ａ−２：傾斜弁
３１ａ：傾斜面
３２ａ：排気用舌状部
３３ａ：吸気用舌状部
３４ａ：回動基部
３５ｂ：凸部
【図１】
2010195453.tif 000003
【図２】
2010195453.tif 000004
【図３】
2010195453.tif 000005
【図４】
2010195453.tif 000006
【図５】
2010195453.tif 000007
【図６】
2010195453.tif 000008